【事件の表示】
　特許第２９６２２９８号「画像処理装置及びカラープリンタ」の請求項１、２に係る特許に対する特許異議の申立てについて、次のとおり決定する。
【結　論】
　訂正を認める。
　特許第２９６２２９８号の請求項１に係る特許を取り消す。
【理　由】
１．手続きの経緯
　特許第2962298号の請求項１乃至２に係る発明についての出願は、昭和63年6月29日に出願した特願昭63-161801号の一部を平成10年1月12日に新たな特許出願として出願したものであり、平成11年8月6日にその発明についての特許権の設定登録がなされ、その後、その特許について異議申立人キヤノン株式会社より特許異議の申立てがなされ、その後、取消理由が通知され、その指定期間内である平成12年10月17日に異議意見書を提出するとともに訂正請求（平成13年5月7日付けで取り下げ）がなされ、その後当審から審尋がなされ、特許異議申立人から平成13年1月9日に回答書が提出され、その後、平成13年2月19日付けで訂正拒絶理由通知を兼ねた再度の取消理由が通知され、その指定期間内である平成13年5月7日に異議意見書を提出するとともに訂正請求がなされたものである。
　
２．訂正の適否についての判断および出願日の認定
（１）訂正の内容
［訂正事項ａ］
　発明の名称を、「画像処理装置及びカラープリンタ」から「カラープリンタ」と訂正する。
［訂正事項ｂ］
　訂正前請求項１を削除し、それに伴い、請求項の項番号の整理を行い、訂正前請求項２を新たに請求項１と訂正する。
［訂正事項ｃ］
　特許査定時の明細書の特許請求の範囲の請求項２の
「ｂ）上記カラー映像を印刷するためのカラーインクと、ｃ）上記カラーインクの残量を検出する検出手段と、ｄ）上記検出手段の検出結果に基づいて上記カラーインク残量を示す残量表示データを生成する残量表示データ生成手段と、ｅ）上記インク残量データにもとづいてインク残量を上記映像表示装置に表示可能とする手段」を、
「ｂ）上記カラー映像を印刷するためのカラーインクを保持するカラーインクリボンと、ｃ）上記カラーインクの残量に関連した量として、上記カラーインクリボンの印刷可能な残り枚数を検出する手段と、ｄ）上記検出手段の検出結果に基づいて、上記カラーインク残量に関連した量としての上記カラーインクリボンの印刷可能な残り枚数を記憶するカラーインクリボン残量記憶手段と、ｅ）上記カラーインクリボン残量記憶手段から読み出された上記カラーインクリボンの印刷可能な残り枚数に基づいて、上記カラーインクの残量に関連した量としての上記カラーインクリボンの印刷可能な残り枚数を上記映像表示装置に表示可能とする手段」
と訂正する。
［訂正事項ｄ］
　特許査定時の明細書の段落番号［０００１］の「画像処理装置及びカラープリンタ」を「カラープリンタ」と訂正する。
［訂正事項ｅ］
　特許査定時の明細書の段落番号［０００２］の「画像処理装置やカラープリンタ」を「カラープリンタ」と訂正する。
［訂正事項ｆ］
　特許査定時の明細書の段落番号［０００４］の「画像処理装置及びカラープリンタ」を「カラープリンタ」と訂正する。
［訂正事項ｇ］
　特許査定時の明細書の段落番号［０００５］の「本発明の画像処理装置は、印刷対象のカラー映像が映像表示装置に表示され、印刷対象のカラー映像を印刷するための画像処理装置において、カラー映像の色を調整するための色調整手段と、カラー映像を印刷するためのカラーインクと、このカラーインクの残量を検出する検出手段と、この検出手段の検出結果に基づいてカラーインク残量を示す残量表示データを生成する残量表示データ生成手段と、インク残量データにもとづいてインク残量を映像表示装置に表示可能とする手段とを有することを特徴としたものである。」
を削除する。
［訂正事項ｈ］
　特許査定時の明細書の段落番号［０００５］の「カラー映像を印刷するためのカラーインクと、このカラーインクの残量を検出する検出手段と、この検出手段の検出結果に基づいてカラーインク残量を示す残量表示データを生成する残量表示データ生成手段と、インク残量データにもとづいてインク残量を映像表示装置に表示可能とする手段」
を
「カラー映像を印刷するためのカラーインクを保持するカラーインクリボンと、このカラーインクの残量に関連した量として、カラーインクリボンの印刷可能な残り枚数を検出する手段、この検出手段の検出結果に基づいて、カラーインク残量に関連した量としてのカラーインクリボンの印刷可能な残り枚数を記憶するカラーインクリボン残量記憶手段、このカラーインクリボン残量記憶手段から読み出されたカラーインクリボンの印刷可能な残り枚数に基づいて、カラーインクの残量に関連した量としてのカラーインクリボンの印刷可能な残り枚数を映像表示装置に表示可能とする手段」
と訂正する。
　
（２）訂正の目的の適否、新規事項の有無及び拡張・変更の存否
　訂正事項ａは請求項１を削除することに伴い、発明の名称をそれに整合させる訂正であるから、明りょうでない記載の釈明を目的とするものである。
　訂正事項ｂは請求項１を削除するものであり、特許請求の範囲の減縮を目的とするものである。また、それに伴う請求項番号の整理は形式的なものであって、実質的には訂正がなかったものである。
　訂正事項ｃは、
　「カラーインク」を「カラーインクを保持するカラーインクリボン」とした点は、カラーインクをインクリボンに保持されたカラーインクに限定するものであり、「カラーインクの残量を検出する検出手段」を「カラーインクの残量に関連した量として、上記カラーインクリボンの印刷可能な残り枚数を検出する手段」とした点は、「カラーインクの残量」を「カラーインクの残量に関連した量として、上記カラーインクリボンの印刷可能な残り枚数」に限定するものであるし、「上記カラーインク残量を示す残量表示データを生成する残量表示データ生成手段」を「上記カラーインク残量に関連した量としての上記カラーインクリボンの印刷可能な残り枚数を記憶するカラーインクリボン残量記憶手段」とした点は、「カラーインク残量を示す残量表示データを生成する残量表示データ生成手段」を「カラーインク残量に関連した量としての上記カラーインクリボンの印刷可能な残り枚数を記憶するカラーインクリボン残量記憶手段」に限定するものであるから、全体として特許請求の範囲の減縮を目的とするものである。
　訂正事項ｄ乃至ｈは、特許請求の範囲の訂正に伴って、明細書の発明の詳細な説明の記載をそれに整合させるための訂正であるから、明りょうでない記載の釈明を目的とするものである。
　
（３）むすび
　以上のとおりであるから、上記訂正は平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を認める。
　
（４）出願日の認定
　上記訂正により本件特許に係る出願は、特許法第44条第1項に規定する要件を満たすものとなり、適法な分割出願であるから、昭和63年6月29日に出願したものとみなす。
　
３．特許異議の申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載された次のとおりのものである。
「印刷対象のカラー映像が映像表示装置に表示され、上記印刷対象のカラー映像を印刷するためのカラープリンタにおいて、
ａ）上記カラー映像の色を調整するための色調整手段と、
ｂ）上記カラー映像を印刷するためのカラーインクを保持するカラーインクリボンと、
ｃ）上記カラーインクの残量に関連した量として、上記カラーインクリボンの印刷可能な残り枚数を検出する手段と、
ｄ）上記検出手段の検出結果に基づいて、上記カラーインク残量に関連した量としての上記カラーインクリボンの印刷可能な残り枚数を記憶するカラーインクリボン残量記憶手段と、
ｅ）上記カラーインクリボン残量記憶手段から読み出された上記カラーインクリボンの印刷可能な残り枚数に基づいて、上記カラーインクの残量に関連した量としての上記カラーインクリボンの印刷可能な残り枚数を上記映像表示装置に表示可能とする手段とを有することを特徴としたカラープリンタ。」
　
（２）引用刊行物記載の発明
　当審が平成13年2月19日付けで通知した取消理由において引用した刊行物１乃至３には、それぞれ次のとおりの発明が記載されている。
（ａ）刊行物１：「シャープ書院ハンドブック」昭和５４年９月出版
ａ）第2頁にはシャープ日本語ワードプロセッサー「書院」（以下、「本装置」という。）の全体図が記載され、第1頁には、本装置が「操作部」、「表示部」、「印字部」、および「ファイル部」の４部門によって構成されていることが記載されているとともに、「表示部」に関連して、「キーボードより入力された内容、あるいはファイルから呼び出してきた内容がそのままテレビ画面に表示される。これにより入力文字の確認・訂正等を行う。」と記載されている。
ｂ）第113頁および第114頁には、「表示部」の画面上に、文字入力が可能な入力有効領域と、ガイダンス領域とプロテクト領域からなる無効領域と、が設定されていることが記載され、第113頁の下から第3行〜末行には、「エラー：エラーがあればガイダンス領域に表示される。」と記載されている。このガイダンス領域に表示されるエラー表示は、第２３０頁の一覧からもインク切れのエラーを含むことが分る。
ｃ）第119頁には「４　輝度調整ダイヤル　・テレビ画面の表示文字の輝度を調整する。」と記載されている。
ｄ）第125頁の「印字方式」の説明には、「インクジェット方式・・・画面上に表示される文字はすべて一字対応で印字させることができるようになっている。」と記載されている。
ｅ）第229頁には「操作中、以下に示すエラーメッセージが表示されたら、速やかに支持通りのエラー処理を行うこと。・・・尚、エラーメッセージは、エラー発生時にガイダンス領域に表示される。」とあり、第230頁にはそのエラー表示として、インクジェットプリンタ「インク切れ」が記載され、さらに、第236頁の第10行には「印字の途中インクが切れると、インク切れのエラーメッセージが出る」と記載されている。
ｆ）第236頁には「＜インクの取替え＞の項に、容器に収容されたインクが図示されている。
　以上の記載事項を対比のためにまとめると、刊行物１には次のような構成を有するワードプロセッサーの発明が記載されている。
ａ）印刷対象の文書が表示される表示部であるテレビ画面。
ｂ）印刷対象の文章を印刷する印字部。
ｃ）印刷には容器に保持された液体インクが使用される。
ｄ）印字の途中インクが切れると、印刷対象の文章の表示部にインク切れのエラーメッセージを表示する。
ｅ）テレビ画面の表示文字の輝度を調整する輝度調整ダイヤル。
　
（ｂ）刊行物２：特開昭62-278876号公報
ａ）本発明は画像記録装置、とくに、静止画像を表す映像信号から画像記録媒体に可視画像を記録する画像記録装置に関する。（公報第2頁左上欄第17行〜同欄第19行参照）
ｂ）第１図に示す実施例では、例えばビデオフロッピー再生装置などの映像信号源から映像信号が３原色信号Ｒ、Ｇ、Ｂの形でアナログ・ディジタル（Ａ／Ｄ）変換回路10の入力12に供給される。（公報第3頁左上欄第8行〜同欄第11行参照）
ｃ）グレー補正部16の出力は、・・・スイッチ28で択一的に選択され記憶用の高輝度白黒ＣＲＴ30に入力される。記録用ＣＲＴ30の表示画面32の前方には、レンズ34および３色分解フィルタ38が配設され、画面32に表示された画像がカラー印画紙38に結像されるように配設されている。（公報第3頁右上欄第16行〜左下欄第3行参照）
ｄ）グレー補正部16の出力20はまた、・・・カラー映像モニタ装置54に入力される。（公報第3頁右下欄第10行〜同欄第13行参照）
ｅ）制御装置46には、操作者がたとえばルックアップテーブルＬＵＴ−１などの画像処理パラメータを選択または修正したり、画像の記録（プリント）指示などの必要な指示を与えるためのキーボードなどの入力操作装置62が接続されている。このパラメータ選択、修正は、例えば画像全体を濃く、または薄く、全体の赤味を増す、緑味を増す、または青みを増す、あるいは赤をより鮮やかに、などの指示を与える操作部材を操作することで行われる。（公報第4頁右上欄第1行〜同欄第10行参照）
ｆ）画質が良好でないときは、操作装置62を操作して各補正部に設定されているパラメータ値の変更を指示する（124）。（公報第5頁右下欄末行〜第6頁左上欄第2行参照）
ｇ）このように本発明によれば、映像モニタ装置の特性に応じて決定された画像処理パラメータと、画像記録媒体の特性に応じて決定された画像処理パラメータが用意され、モニタ表示用パラメータを使用して映像モニタ装置に画像を表示し、所定の関係でそれに対応した記録用パラメータを選択して画像記録媒体への記録を行なう。これによって、モニタ画像の画質に良好に一致したハードコピーが得られる。（公報第7頁左下欄第19行〜右下欄第7行参照）
　以上の記載事項を対比のためにまとめると、刊行物２には次のような発明が記載されている。
「プリント対象のカラー映像が表示されるカラー映像モニタ装置と、カラー映像の色を調整するための色調整手段を備えた、プリント対象のカラー映像をプリントするためのカラー画像記録装置。」
　
（ｃ）刊行物３：特開昭61-286184号公報
ａ）（１）転写リボンの転写剤を被転写体に転写して画像を形成するものにおいて、上記転写リボンに設けられたバーコードと、このバーコードを検知する検知器と、この検知器の検知結果にもとづいて上記転写リボンの残量を表示する表示手段とを具備したことを特徴とする画像形成装置。
（２）転写リボンは複数色の転写剤部を有し、バーコードはこの転写剤部毎に設けたことを特徴とする特許請求の範囲第1項記載の画像形成装置。（公報第1頁特許請求の範囲の項９
ｂ）この熱転写リボン15の一側縁部には、第２図にも示すように、バーコード付与部15’が設けられ、このバーコード付与部15’には各インク部15ａ，15ｂ，15ｃ，15ｄにそれぞれ対応してバーコードＢＣが設けられている。このバーコードＢＣは、残りの熱転写リボン15で画像形成可能な用紙Ｐの枚数と、インク部15ａ，15ｂ，15ｃ，15ｄのいずれかを示すもので、インク部15ａ，15ｂ，15ｃ，15ｄ毎に順次加算あるいは減算した値となっている。（公報第5頁右上欄第7行〜同欄第17行参照）
ｃ）また、たとえば、「10111000」の場合、第4〜第6のビット領域が連続して「白」、第7〜第9のビット領域が連続して黒となるが、熱転写リボン15は、パルスモータからなるプラテン用モータ45により正確に送られるため、各ビット領域毎に前述したバーコードセンサ46によって検知することができる。（公報第5頁左下欄第14行〜右下欄第1行参照）
ｄ）また、上記バーコードセンサ65は、第４図に示すように、１個の発光素子65ａと１個の受光素子65ｂとから構成されており、この受光素子65ｂの出力信号Ｓａは、第５図に示すように、上記全体制御部14を介して画像形成部5及び表示部6に供給される。そして、表示部6では上記バーコードＢＣに応じて熱転写リボン15の残量が１０進法による数字で表示されるとともに、使用可能枚数を越えた使用枚数の設定に対して警告表示が行われるようになっている。以上の構成によれば、バーコードＢＣにより熱転写リボン15の残量を検出するので、正確な残量表示が行なえる。（公報第5頁右下欄第2行〜同欄第16行参照）
　
　対比のためにまとめると、刊行物３には次のような発明が記載されている。
「カラー熱転写リボンに付されたバーコードを読み取って、残りのカラー熱転写リボンで画像形成可能な用紙Ｐの枚数を検出するバーコードセンサーと、その出力信号を全体制御部を介して表示部に供給し、バーコードセンサーで読み取った画像形成可能な用紙Ｐの枚数に基づいて、表示部の画面上にカラー熱転写リボンの残りを画像形成可能な用紙Ｐの枚数で表示する手段と、カラー画像を印刷する印刷手段を備えたカラー画像形成装置。」
　
（３）対比・判断
　本件発明を刊行物１記載の発明に記載された発明と対比すると、
ａ）本件発明の「印刷対象のカラー映像が表示される映像表示装置」と刊行物１記載の発明の「印刷対象の文書が表示される表示部」とは、本件発明の「カラー映像」と刊行物１記載の発明の「文書」が共にブラウン管等の表示装置の画面上に表示される画像である点で共通しているから、「印刷対象の画像が表示される画像表示装置」である点で共通し、
ｂ）刊行物１記載の発明の「輝度調整ダイヤル」と本件発明の「カラー映像の色を調整するための色調整手段」とは、「画像の画質を調整する画質調整手段」である点で共通し、
ｃ）刊行物１記載の発明の「容器に保持された液体インク」と本件発明の「カラーインクを保持するカラーインクリボン」とは、「保持部材に保持されたインク」である点で共通し、
ｄ）刊行物１記載の発明の「インク切れ」と本件発明の「カラーインクの残量に関連した量としてのインクリボンの印刷可能な残り枚数」とは、インク切れもインク残量が少ないあるいは０であってインク残量に関連した量であるから、両者は「インク残量に関連した量」である点で共通するし、刊行物１記載の発明において、インク切れをエラーメッセージとして表示するためには、直接的な記載はないが、インク切れを検出し、その検出結果を出力し、その出力を表示する手段を有しているとみることができるから、刊行物１記載の発明の「印字の途中インクが切れると、印刷対象の文章の表示部にインク切れのエラーメッセージを表示する」と、本件発明の「カラーインクの残量に関連した量として、カラーインクリボンの印刷可能な残り枚数を検出する手段と、検出手段の検出結果に基づいて、カラーインク残量に関連した量としてのカラーインクリボンの印刷可能な残り枚数を記憶するカラーインクリボン残量記憶手段と、カラーインクリボン残量記憶手段から読み出されたカラーインクリボンの印刷可能な残り枚数に基づいて、カラーインクの残量に関連した量としてのカラーインクリボンの印刷可能な残り枚数を映像表示装置に表示可能とする手段」とは、「インクの残量に関連した量を検出する手段と、検出手段の検出結果を出力する手段と、その出力に基づいて、インクの残量に関連した量を画像表示装置に表示可能とする手段」である点で共通し
ｆ）刊行物１記載の発明の「印刷対象の文書を印刷する印字部」と本件発明の「印刷対象のカラー映像を印刷するためのカラープリンタ」とは、「印刷対象の画像を印刷する印刷手段」である点で共通し、
ｇ）刊行物１記載の発明は全体としてワードプロセッサーの発明であるが、印字部を有することから、「プリンタ」であるということができ、
　以上のことから、両者間には次のような一致点、相違点がある。
（一致点）
　印刷対象の画像が画像表示装置に表示され、印刷対象の画像を印刷するためのプリンタにおいて、画像の画質を調整する画質調整手段と、画像を印刷するためのインク保持部材に保持されたインクと、インクの残量に関連した量を検出する手段と、検出手段の検出結果を出力する手段と、その出力に基づいて、インクの残量に関連した量を画像表示装置に表示可能とする手段とを有するプリンタ。
（相違点）
（１）画像表示装置が、本件発明ではカラー映像表示装置であるのに対して、刊行物１記載の発明では文書表示装置である点。
（２）画質調整手段が、本件発明は「カラー映像の色を調整するための色調整手段」であるのに対して、刊行物１記載の発明は画像の輝度を調整する輝度調整手段である点。
（３）画像を印刷するための保持部材に保持されたインクが、本件発明はカラーインクリボンに保持されたカラーインクであるのに対して、刊行物１記載の発明は白黒画像を印刷するための容器に保持された液体インクである点。
（４）検出手段によって検出されるインクの残量に関連した量が、本件発明が「カラーインクリボンの印刷可能な残り枚数」であるのに対して、刊行物１記載の発明は「インク切れ」である点。
（５）検出手段の検出結果を出力する手段が、本件発明が「カラーインクリボンの印刷可能な残り枚数を記憶するカラーインクリボン残量記憶手段」であるのに対して、刊行物１記載の発明は「インク切れを出力する手段」である点。
（６）インクの残量に関連した量を画像表示装置に表示可能とする手段が、本件発明は「カラーインクリボン残量記憶手段から読み出されたカラーインクリボンの印刷可能な残り枚数に基づいて、カラーインクの残量に関連した量としてのカラーインクリボンの印刷可能な残り枚数を映像表示装置に表示可能とする手段」であるのに対して、刊行物１記載の発明は「検出手段の検出結果を出力する手段から出力されるインク切れエラーメッセージ」を表示可能とするものである点。
（７）印刷対象の画像を印刷する印刷手段が、本願発明が「カラー映像を印刷するためのカラープリンタ」であるのに対して、刊行物１記載の発明は「印字部」である点。
（相違点の検討）
　相違点（１）、（２）、および（７）については、刊行物２には印刷対象のカラー映像が表示される映像表示装置とカラー映像の色を調整する色調整手段を有するカラープリンタ装置が記載されており、カラー映像のプリンタであっても文書のプリンタであっても、印刷対象の画像を表示する装置の画面上に、プリンタのインクの残量に関連した量について表示させると便利であり、そのような課題を有する点で共通しているから、刊行物１記載の発明において、文書表示装置をカラー映像が表示される映像表示装置に、輝度調整手段を色調整手段に、プリンタをカラープリンタに変更することは、当業者ならば容易に考えつくことができた構成の変更である。
　相違点（３）については、プリンタ装置のインクとして、容器に保持された液体インクやリボンやテープに保持されたインクはともに周知であり、色についても、単色あるいはカラーインクはともに周知であるから、相違点（１）で述べたように当業者が容易に考えつくことができた構成の変更によって、刊行物１記載の発明のプリンタをカラー映像を印刷するプリンタに変更した場合、その使用するインクをカラーインクリボンに保持されたカラーインクとすることは設計上の取捨選択的事項に過ぎないことである。
　相違点（４）、（５）および（６）について検討する。
　刊行物３記載の発明において、「カラー熱転写リボンに付されたバーコード読み取って残りの熱転写リボンで画像形成可能な用紙Ｐの枚数を検出するバーコードセンサー」、「バーコードセンサーで読み取った画像形成可能な用紙Ｐの枚数に基づいて、表示部の画面上にカラー熱転写リボンの残りを画像形成可能な用紙Ｐの枚数で表示する手段」は、それぞれ本件発明の「カラーインクの残量に関連した量としてカラーインクリボンの印刷可能な残り枚数を検出する検出手段」、「カラーインクリボンの印刷可能な残り枚数に基づいて、上記表示装置の画面上にカラーインクリボンの残りを上記印刷可能な残り枚数で表示する手段」に相当するから、刊行物３には、カラーインクの残量に関連した量としてカラーインクリボンの印刷可能な残り枚数を検出手段によって検出し、その検出結果を表示装置の画面上に表示する点が記載されている。
　また、刊行物３の記載事項のｃ）において「熱転写リボン15は、パルスモータからなるプラテン用モータ45により正確に送られるため、各ビット領域毎に前述したバーコードセンサ46によって検知する」とあり、バーコードの検出はもっぱら印刷の途中に行われるものであり、一方、ｄ）において、「そして、表示部6では上記バーコードＢＣに応じて熱転写リボン15の残量が１０進法による数字で表示されるとともに、使用可能枚数を越えた使用枚数の設定に対して警告表示が行われるようになっている」とあり、使用枚数の設定は次の印刷の開始に先立って行われるのが普通である。
　そして、印刷の途中で検知された残り枚数と次の印刷の開始に先立って設定された使用枚数とを比較するには、検知された残り枚数を一旦記憶させておく必要があるから、刊行物３にはバーコードセンサで検知された「残りの熱転写リボンで画像形成可能な用紙Ｐの枚数」を全体制御部において記憶手段に記憶させることが示唆されているということができるし、一般的に情報処理技術において、記憶装置に記憶された情報を適宜読み出して、その後の処理を行うことが周知であることからみて、検出結果を必要に応じて適宜記憶手段から読み出して表示部に供給することについても、当業者ならば刊行物３から容易に理解できる技術的事項である。
　そして、刊行物１記載の発明と刊行物３記載の発明は、ともにプリンタの技術分野に属するものであるし、両者を組み合わせることに格別の阻害要因もないから、刊行物１記載の発明においてインク切れを検出して画像表示装置に表示することに変えて、刊行物３記載の発明のようにカラーインクリボンの印刷可能な残り枚数を検出し、それを記憶手段に記憶し、記憶手段から印刷可能な残り枚数を読み出して画像表示装置に表示するように変更することは、当業者が容易に考えつくことができた構成の変更である。
　
４．むすび
　以上のことから、本件発明は刊行物１乃至３に記載された発明に基づいて、当業者が容易に発明をすることができたものであり、特許法第29条第2項の規定により特許を受けることができない。　
　したがって、本件発明についての特許は拒絶の査定をしなければならない特許出願に対してされたものと認める。
　よって、平成６年改正法附則第14条の規定に基づく、特許法等の一部を改正する法律の施行に伴う経過措置を定める政令（平成７年政令第205号）第４条第２項の規定により、結論のとおり決定する。
【異議決定日】
平成１３年５月２９日（２００１．５．２９）
【訂正の要旨】
訂正の要旨
１．訂正事項ａ
　発明の名称を、明りょうでない記載の釈明を目的として「画像処理装置及びカラープリンタ」から「カラープリンタ」と訂正する。
２．訂正事項ｂ
　特許請求の範囲の減縮を目的として、訂正前請求項１を削除し、それに伴い請求項の項番号の整理を行い、訂正前請求項２を新たに請求項１と訂正する。
３．訂正事項ｃ
　特許査定時の明細書の特許請求の範囲の請求項２の
「ｂ）上記カラー映像を印刷するためのカラーインクと、ｃ）上記カラーインクの残量を検出する検出手段と、ｄ）上記検出手段の検出結果に基づいて上記カラーインク残量を示す残量表示データを生成する残量表示データ生成手段と、ｅ）上記インク残量データにもとづいてインク残量を上記映像表示装置に表示可能とする手段」を、特許請求の範囲の減縮を目的として、
「ｂ）上記カラー映像を印刷するためのカラーインクを保持するカラーインクリボンと、ｃ）上記カラーインクの残量に関連した量として、上記カラーインクリボンの印刷可能な残り枚数を検出する手段と、ｄ）上記検出手段の検出結果に基づいて、上記カラーインク残量に関連した量としての上記カラーインクリボンの印刷可能な残り枚数を記憶するカラーインクリボン残量記憶手段と、ｅ）上記カラーインクリボン残量記憶手段から読み出された上記カラーインクリボンの印刷可能な残り枚数に基づいて、上記カラーインクの残量に関連した量としての上記カラーインクリボンの印刷可能な残り枚数を上記映像表示装置に表示可能とする手段」
と訂正する。
４．訂正事項ｄ
　特許査定時の明細書の段落番号［０００１］の「画像処理装置及びカラープリンタ」を、明りょうでない記載の釈明を目的として「カラープリンタ」と訂正する。
５．訂正事項ｅ
　特許査定時の明細書の段落番号［０００２］の「画像処理装置やカラープリンタ」を、明りょうでない記載の釈明を目的として「カラープリンタ」と訂正する。
６．訂正事項ｆ
　特許査定時の明細書の段落番号［０００４］の「画像処理装置及びカラープリンタ」を、明りょうでない記載の釈明を目的として「カラープリンタ」と訂正する。
７．訂正事項ｇ
　特許査定時の明細書の段落番号［０００５］の「本発明の画像処理装置は、印刷対象のカラー映像が映像表示装置に表示され、印刷対象のカラー映像を印刷するための画像処理装置において、カラー映像の色を調整するための色調整手段と、カラー映像を印刷するためのカラーインクと、このカラーインクの残量を検出する検出手段と、この検出手段の検出結果に基づいてカラーインク残量を示す残量表示データを生成する残量表示データ生成手段と、インク残量データにもとづいてインク残量を映像表示装置に表示可能とする手段とを有することを特徴としたものである。」を、明りょうでない記載の釈明を目的として削除する。
８．訂正事項ｈ
　特許査定時の明細書の段落番号［０００５］の「カラー映像を印刷するためのカラーインクと、このカラーインクの残量を検出する検出手段と、この検出手段の検出結果に基づいてカラーインク残量を示す残量表示データを生成する残量表示データ生成手段と、インク残量データにもとづいてインク残量を映像表示装置に表示可能とする手段」を、明りょうでない記載の釈明を目的として
「カラー映像を印刷するためのカラーインクを保持するカラーインクリボンと、このカラーインクの残量に関連した量として、カラーインクリボンの印刷可能な残り枚数を検出する手段、この検出手段の検出結果に基づいて、カラーインク残量に関連した量としてのカラーインクリボンの印刷可能な残り枚数を記憶するカラーインクリボン残量記憶手段、このカラーインクリボン残量記憶手段から読み出されたカラーインクリボンの印刷可能な残り枚数に基づいて、カラーインクの残量に関連した量としてのカラーインクリボンの印刷可能な残り枚数を映像表示装置に表示可能とする手段」と訂正する。
（５４）【発明の名称】
カラープリンタ
（５７）【特許請求の範囲】
　【請求項１】　印刷対象のカラー映像が映像表示装置に表示され、上記印刷対象のカラー映像を印刷するためのカラープリンタにおいて、
ａ）上記カラー映像の色を調整するための色調整手段と、
ｂ）上記カラー映像を印刷するためのカラーインク
を保持するカラーインクリボンと、
ｃ）上記カラーインクの残量
に関連した量として、上記カラーインクリボンの印刷可能な残り枚数を検出する手段と、
ｄ）上記検出手段の検出結果に基づいて、上記カラーインク残量
に関連した量としての上記カラーインクリボンの印刷可能な残り枚数を記憶するカラーインクリボン残量記憶手段と、
ｅ）
上記カラーインクリボン残量記憶手段から読み出された上記カラーインクリボンの印刷可能な残り枚数に基づいて、上記カラーインクの残量に関連した量としての上記カラーインクリボンの印刷可能な残り枚数
【発明の詳細な説明】
　【０００１】
　【発明の属する技術分野】
　本発明は映像信号や各種データを画像表示装置に表示させるカラープリントを行なうカラープリンタに係わり、特に画像処理装置の機能に関する状態を検出表示可能なカラープリンタに関する。
　【０００２】
　【従来の技術】
　従来から、各種データや映像信号をプリントアウトするカラープリンタとしては種々のものが提案されている。例えば、カラービデオプリンタでは、モニタテレビとカラービデオプリンタ（以下プリンタと記す）は互に接続されて、プリント内容はモニタテレビに映出されると共にプリンタの各種メッセージはプリンタに配設したＬＥＤ等を点灯させることで操作者にプリンタの動作状態等を知らせていた。例えば、プリンタ側でプリント指示釦を押圧すると、モニタテレビはプリンタ内のメモリに格納されているプリント画像信号をモニタ出来る構成と成されて、更に、プリントアウトするときにはプリント釦を押圧すれば、メモリに格納されていたプリント画像信号がプリントアウトされるが、プリント中に必要な表示はプリンタに配設した、プリント中のＬＥＤが点灯する様に成されている。
　【０００３】
　【発明が解決しようとする課題】
　従来構成のプリンタによるとプリンタの動作状態或は操作状態を操作者側にきめ細かく知らせることが出来ないため、リボン装着不良やプリント紙の装着不良、或は各種エラーが生じても、リボン印字やプリント紙の排出が行なわれて、無駄なプリントを行う弊害があった。又、故障原因等も解らずに修理に出す等の問題があった。
　【０００４】
　本発明は叙上の問題点に鑑み成されたもので発明が解決しようとする課題はプリンタ画像を表示する表示手段にリボン装着状態、プリント装着状態、リボン残量等の処理対象の画像プリント時に必要なメッセージを表示させることで使用者が操作し易いカラープリンタを提供しようとするものである。
　【０００５】
　【課題を解決するための手段】
　本発明のカラープリンタは印刷対象のカラー映像が映像表示装置に表示され、上記印刷対象のカラー映像を印刷するためのカラープリンタにおいて、カラー映像の色を調整するための色調整手段と、カラー映像を印刷するためのカラーインク
を保持するカラーインクリボンと
に関連した量として、カラーインクリボンの印刷可能な残り枚数を検出する手段
に関連した量としてのカラーインクリボンの印刷可能な残り枚数を記憶するカラーインクリボン残量記憶手段
このカラーインクリボン残量記憶手段から読み出されたカラーインクリボンの印刷可能な残り枚数に基づいて、カラーインクの残量に関連した量としてのカラーインクリボンの印刷可能な残り枚数
　【０００６】
　本発明のプリンタでは入力手段で指示した各種メッセージはプリンタ画像を表示する表示手段に表示されるので、リボンの装着状態及びその種類並びに誤操作、故障状態を使用者に知らせることが出来るので、使用者の使い勝手のよいプリンタが得られる。
　【０００７】
　【発明の実施の形態】
　以下、本発明のビデオプリンタを図面によって詳記する。
　【０００８】
　本例のプリンタ、例えばカラービデオプリンタに於ける構成を図１及び図２に示す。
　図１で１はカラービデオプリンタであり、プリント操作はキー装置２で行なわれる。このキー装置２には大きく分けてメモリに関係する操作部２ａとプリントに関する操作部２ｂと、プリント画の画質・色調の調整部２ｃと、入力選択釦２ｄより成るが、これら詳細は動作説明と共に図２で後述する。
　【０００９】
　３はモニタテレビでカラービデオプリンタ１に接続され、再生している画像と、プリントする画像を見ることが出来、且つカラービデオプリンタ１からの各種メッセージを表示させることが出来る様に成されている。又、４はプリントしたい信号源を再生、撮像するビデオ機器でカラービデオプリンタ１に接続されている。
　【００１０】
　カラービデオプリンタ１に接続出来るビデオ機器としてはＮＴＳＣコンポジットビデオ信号を出力するＶＴＲ、ビデオカメラ、ビデオディスクプレーヤ、静止画伝送機器や、Ｓ映像信号出力を持ったＶＴＲや、コンポーネント信号（色差信号）の出力を持ったＶＴＲ、静止画像記録用の所謂スチールカメラ、静止画伝送機並びにＲ（赤）、Ｇ（緑）、Ｂ（青）信号出力を持ったパーソナルコンピュータ、静止画伝送機器等がある。
　【００１１】
　５はビデオ機器に接続されたモニタテレビであり、ビデオ機器４の再生画像を常時モニタすることが出来る。
　【００１２】
　上述構成のカラービデオプリンタ１で画像をプリントする場合には、カラービデオプリンタ１のカバー１ａを開いてインクリボンカセットを挿入し、更に給紙トレー１ｂにプリント紙又はオーバーヘッドプロジェクタ（以後ＯＨＰと記す）用のシートを挿入して、モニタテレビ３及びカラービデオプリンタ１の電源スイッチ１ｃを“オン”状態とし、キー装置２の入力選択釦２ｄを押圧し、入力信号を選択すると入力の画像信号がモニタテレビ３に映出される。
　【００１３】
　しばらくすると入力信号の表示が消えるようになっている。次にプリントしたい画面がモニタテレビ３に現れたら、図２で示すメモリイン釦２ａ１を押圧すると、メモリに画像が記憶される。次にキー装置２中のプリント釦２ｂ１を押圧すれば、カラービデオプリンタ１からはプリント画がプリントアウトされる。
　【００１４】
　更に、クリヤ釦２ａ２を押圧すればメモリに格納されていたプリント画像情報がクリヤされる。
　尚、２ｂ２はプリントを途中で止めるプリント停止釦、２ｂ３はプリントのメモリ画像と入力中の画像とを切換える入力／メモリ切換釦を示している。
　【００１５】
　図３は本例の系統図であり、例えばカラービデオプリンタ１から成る印字装置はキー装置２とマイクロコンピュータ６及びＲＡＭ１２、ＲＯＭ１３等のメモリ並びにカラービデオプリンタの印字手段であるメカ部１０、ヘッド制御部１１、プリント画像用メモリ９（ＲＡＭ１２と兼用してもよい）を有するＣＲＴコントロール部７等で構成され、ビデオ機器４からの画像信号はマイクロコンピュータ６の入カインターフェース等の入力手段６ａに入力され、マイクロコンピュータ６に供給される。
　【００１６】
　マイクロコンピュータ６の表示出力はＣＲＴコントロール部７を通してモニタテレビ３に供給され、ＣＲＴ上に入力画像信号或はプリント画像用メモリ９に格納された画像信号を映出させる。
　【００１７】
　マイクロコンピュータ６とプリント画像用メモリ９、メカ部１０、ヘッド制御部１１、ＲＡＭ１２、ＲＯＭ１３、キー装置２並びにＣＲＴコントロール部７間は互いにデータバス或はコントロールバスを通じて接続されている。
　【００１８】
　本例では、マイクロコンピュータ６がＣＲＴコントロール部７を介して、各種メッセージ用の信号を出力し、モニタテレビ３の画面上に各種メッセージを表示する。この表示を使用者がみてキー装置２の適当な押釦を押圧すると、その押釦に応じたメッセージを再びＣＲＴコントロール部７に、出力し、ＣＲＴコントロール部７がモニタテレビ３に対応メッセージを表示させると共に押釦の命令をマイクロコンピュータは実行する様に各部に制御信号を出力する。
　【００１９】
　本例のプリンタではフルプリント画像を得る等の各種動作及びその表示をモニタテレビのＣＲＴ上に行なうことが出来るが、これら、動作のうちの代表的な動作表示を図４乃至図９の流れ図と表示例によって説明する。
　【００２０】
　図４はフレーム又はフィールド選択表示の流れ図である。一般にフル画面でプリントする場合に早く動いている映像を記憶させると画像がぶれてしまうことがあるので図２に示すフレーム／フィールド釦２ａ３を押圧すると、フレームモードからフィールドモードに変わって、モニタテレビ３の画面上に映出される画面のずれが止まる様になっている。
　【００２１】
　図３に示すプリント画像用メモリ９は最低１フレーム分の画像を記憶する容量を有し、フレーム／フィールド釦２ａ３の押圧でプリント画像メモリ９を１画面として利用する場合と、２枚に分けて使う場合に使い分ける様になされている。
　【００２２】
　今、図３のキー装置２のフレーム／フィールド釦２ａ３が操作されたときの動作を図４で説明すると、マイクロコンピュータ６は第１ステップＳ１でフレーム／フィールド釦２ａ３が“オン”されたか否かを判断し、ＮＯであれば第１ステップＳ１に戻るがフレーム／フィールド釦２ａ３が押圧されていれば次の第２ステップで現在はフレームモードか否かをマイクロコンピュータ６は判断する。
　【００２３】
　フレームモードでなければマイクロコンピュータ６はＣＲＴコントロール部７を介してモニタテレビ３のＣＲＴ画面の下端に第３ステップＳ３に示す様に第１フィールドモードと第２フィールドモード即ちメモリページを表す記号「１Ａ１Ｂ」の間を離れて表示する。
　【００２４】
　又、第２ステップＳ２がフレームモードであれば第４ステップＳ４に示す様に「１Ａ１Ｂ」は接近した状態で表示され、第３及び第４ステップＳ３，Ｓ４後は第１ステップＳ１に戻る動作が行なわれる。
　【００２５】
　図５Ａはプリント画像メモリ９に記憶されるフレームモード画像１４及び第１及び第２のフィールドモードの模式的画像１５，１６を、図５Ｂはフレームモード１４での「１Ａ１Ｂ」の表示１７を示し、この場合は１Ａと１Ｂ間が接近表示された例を示し、第１及び第２のフィールドモード１５，１６では「１Ａ　１Ｂ」の表示１８，１９は１Ａと１Ｂ間が離れて表示される。
　【００２６】
　尚、図５Ｂで第１のフィールドモード１５を選択するか、第２のフィールドモード１６を選択するかは図２のメモリページ釦２ａ４の押圧によって行なわれる。
　【００２７】
　又、図５Ｂでプリントされているメモリページは四角で囲われ、現在選択されていれば赤で表示し、印字中であれば点滅する様になされる。又Ｑ１はプリント枚数で例えば、必要なプリント枚数が５枚必要な場合は図２に示すプリント量釦２ｂ４のプラス釦を５回押せばモニタテレビ３の表示枚数はＱ１→Ｑ２→Ｑ３→Ｑ４→Ｑ５と変化するマイナス釦を押せば減算される。
　【００２８】
　尚、図５ＢのＭはプリント画像用メモリ９にメモリされている画像を示すものでビデオ機器からの入力画像のときはＩを表示する。
　【００２９】
　図６はインクリボンの残量を表示するための流れ図である。
　【００３０】
　図１でカバー１ａを開いて、インクリボンカセットを挿入し、１枚のプリントをとるとリボン残量表示が行なわれる。即ち、図２の残りリボン釦２ｂ５を押している間、モニタテレビ３にはリボンの種類と残り枚数が表示される。例えばリボンの種類がカラーで残り枚数が９９枚であれば
　「ＣＯＬＯＲ　ＲＩＢＢＯＮ　９９」
の如き表示がＣＲＴ画面の中央に出る。
　【００３１】
　この様なリボン残量を表示するフローを図６で説明する。図６で第１ステップＳＴ１では残りリボン釦２ｂ５が“オン”か否かをマイクロコンピュータ６は判断する。ＮＯであれば第１ステップＳＴ１を繰り返すが“オン”されていれば、第２ステップＳＴ２では現在どんなリボンが掛かっているかをみる。
　【００３２】
　リボンの種類は白黒リボン、カラーリボン、ＯＨＰリボンの３種類か、リボンが掛かっていない場合の４種類であり、マイクロコンピュータ６はこれら４通りを選別出来る様に成されている。リボンがカバー１ａ内に完全に挿入されていれば白黒、カラー、ＯＨＰリボンの夫々の場合に第３ステップＳＴ３で何枚残っているかをメモリから読み出し、白黒リボンの場合は第４ステップＳＴ４に示す様に、
　「Ｂ／Ｗ　ＲＩＢＢＯＮ　９９」
の様な表示を、同様にカラーリボンの場合は第５ステップＳＴ５に示す様に
　「ＣＯＬＯＲ　ＲＩＢＢＯＮ　９９」
の様な表示を、ＯＨＰリボンの場合は第６ステップＳＴ６に示す様に、
　「ＯＨＰ　ＲＩＢＢＯＮ　９９」
の様な表示が夫々モニタテレビ３のＣＲＴ画面になされる。
　【００３３】
　又、カセットがカバー１ａ内に挿入されていない場合は「ＮＯ　ＣＡＳＳＥＴＴＥ」を表示する（第７ステップＳＴ７）。
　これら所定の表示が行なわれた後に残りリボン釦２ｂ５が“オフ”になったか否かをマイクロコンピュータ６は第８ステップＳＴ８で判断し、ＮＯであれば第８ステップＳＴ８を繰り返し判断するが、ＹＥＳであればモニタテレビ３のＣＲＴ画面上の上述の各表示を第９ステップＳＴ９に示す様に消すことで第１ステップＳＴ１に戻される。
　【００３４】
　次に図７及び図８の流れ図について説明する。図２でプリント画の画質、色調を調整する調整部２ｃ内の例えば、グレースケール釦２ｃ１ではプリントされるべき画像とモニタテレビ３のＣＲＴ画面の色合わせを行なうことが出来る。
　【００３５】
　又、シャープネス釦２ｃ２を押圧すればプリント画の画質は低「Ｌ」、中「Ｍ」、高「Ｈ」に順次切り換えることが出来る。「Ｌ」の場合は画像の輪郭がぼけ、「Ｈ」では輪郭は強調され、「Ｍ」では中間の値を保つ様に成されている。
　【００３６】
　図７乃至図９に示す流れ図はサービスマンがプリンタを修理するモードで用いるもので、キー装置２に操作対応釦は設けられていないが、図７に示すプリント枚数を表示させる流れ図では第１ステップＳＴＥ１で上述のシャープネス釦２ｃ２とグレースケール釦２ｃ１とを同時に押圧した時に、プリント枚数を表示するメッセージをモニタテレビ３に表示させる様にする。
　【００３７】
　図７の第１ステップＳＴＥ１で２つの押釦が同時に“オン”が否かをマイクロコンピュータ６が判断し、ＮＯであれば第１ステップＳＴＥ１に戻るが、ＹＥＳであれば第２ステップＳＴＥ２では不揮発性のメモリに書かれている、プリント枚数を読み込む。
　【００３８】
　第３ステップＳＴＥ３ではＣＲＴコントロール部７を介してモニタテレビ３のＣＲＴ画面に読み込んだ内容を「６５５３６　ＰＲＩＮＴＳ」の様に今まで何枚プリントされたかを表示している。
　【００３９】
　図８はプリンタ内に用いられている各種センサのレベルを表示させ様とするもので、第１ステップＳＴＥＰ１では図７と同様に、所定の約束で定めた２つの押釦が同時に押圧されたか否かをマイクロコンピュータ６は判断する。
　【００４０】
　ＮＯであれば第１ステップＳＴＥＰ１に戻し、ＹＥＳであれば第２ステップＳＴＥＰ２で各種のセンサのレベルを読み込む。
　【００４１】
　次に第３ステップＳＴＥＰ３では読み込んだレベルをＣＲＴコントロール部７を介してモニタテレビ３に表示する。表示内容はセンサ名、センサの基本特性がＨかＬか、現在の極性がＨかＬか等であり、例えば、「ＥＤＧＥ〔Ｈ〕Ｌ」の様に表示する。
　この様にすると各種のセンサのレベルを何の測定器もなく、みることが出来る。
　【００４２】
　図９の実施例は各種エラーの表示を行なうもので各種エラー表示としては種々のものがあるが、リボンが無くなったことを知らせる「エンド　オブ　リボン」表示、インクリボンカセットがカバー１ａ内に正しく差し込まれていないことを知らせる「インサートリボン」表示、紙づまりであることを知らせる「フィードエラー」表示、給紙トレーが正しく差し込まれていないことを知らせる「インサートトレー」表示、選択されている入力からは現在信号が入っていないことを知らせる「ノーインプット」表示、プリント紙が途中に残っていることを知らせる「プリーズ　ウェイト」表示、紙づまりを知らせる「プロセスエラー」表示、リボンが切れ或はからまったことを知らせる「リボンエラー」表示、トレー中のプリント紙が表裏逆であることを知らせる「ターンペーパオーバ」表示、プリント紙がないことを知らせる「ノペーパ」表示等がある。
　【００４３】
　図９はこの様なエラー表示を示すフローであり、第１ステップＳＴＥＰ１ａでは各種エラーセンサでエラーが発生したか否かをマイクロコンピュータ６は判断する。ＮＯであれば第１ステップＳＴＥＰ１ａに戻るがＹＥＳであれば第２ステップＳＴＥＰ２ａでモニタテレビ３にＣＲＴコントロール部７を通じてエラーに応じた例えば、プリント紙がないときには「ＮＯ　ＰＡＰＥＲ」の表示が行なわれ、第３ステップでマイクロコンピュータ６は各種のエラーが解除されたか否かを判断し、ＮＯであれば第３ステップＳＴＥＰ３ａに戻るが、ＹＥＳであれば第１ステップＳＴＥＰ１ａに戻す。
　【００４４】
　この様に故障状態の表示が使用者に直ちに解るので、使用者は、エラー対応を迅速に行なうことが出来る。
　【００４５】
　尚、本発明のカラープリンタでは叙上に説明しない、例えば入力されている画像信号がＮＴＳＣコンポジットか、コンポーネント信号か或はＲＧＢ信号なのか等の表示や、画面の色調整表示等も行なわれている。
　【００４６】
　叙上の実施例の表示方法は、その１例を示したもので各種表示方法でモニタテレビ３のＣＲＴ画面に表示することが出来ることは勿論である。
　又、モニタテレビ３とカラービデオプリンタ１並びにキー装置２を別体に構成した例を説明したが、これらをプリンタ１内に一体化する等、上述の各実施例に限定されることなく、本発明の要旨を逸脱しない範囲で種々に変形することが出来る。
　【００４７】
　【発明の効果】
　本発明のプリンタによればプリントすべき画像を表示するモニタテレビ上に使用者との間の各種メッセージを表示するので極めてスムーズにプリンタと操作者間で種々のコミュニケーションを計ることが出来る。特にリボンの装着状態やリボンの種類或はリボン残量が表示されるので使い勝手のよいプリンタが得られ、然もＬＥＤ等の表示部品を必要としないためにプリンタ構成を単純、廉価にすることが出来る効果を有する。
【図面の簡単な説明】
　【図１】
　本発明のプリンタの構成配置図である。
　【図２】
　本発明のプリンタのキー装置の一形態例を示す配置図である。
　【図３】
　本発明のプリンタの一形態例を示す系統図である。
　【図４】
　本発明のプリンタのフレーム又はフィールド選択表示の流れ図である。
　【図５】
　本発明のプリンタの画面表示例を示すＣＲＴ正面図である。
　【図６】
　本発明のプリンタのリボン残量を表示する流れ図である。
　【図７】
　本発明のプリンタのプリント枚数を表示する流れ図である。
　【図８】
　本発明のプリンタのセンサレベルを表示する流れ図である。
　【図９】
　本発明のプリンタの各種エラーを表示する流れ図である。
　【符号の説明】
１・…カラービデオプリンタ、２…・キー装置、３，５…・テレビモニタ、４…・ビデオ機器、９…・プリント画像用メモリ